(57)【要約】【課題】多チャンネルのザッピングを支援する。【解決手段】テレビ受信機１において、受信部２は、テレビ局から放送データを受信し、各部に受け渡す。出力制御部３は、受信部２からの放送データをモニタ１１に出力し、一方、記録部４で再生される録画データをモニタ１１に出力するとともに、ザッピングリスト１０に従って自動ザッピングを行う。記録部４は、受信部２からの放送データを録画し、その放送データを出力制御部３に再生出力する。放送番組解析部５は、受信部２からの、放送中の各番組の種別や特徴を分析し、分析結果を番組分析データ８として記憶させる。視聴番組解析部６は、モニタ１１に出力中の放送データを取り込み、視聴者のテレビ番組に関する嗜好を分析し、分析結果を視聴習慣ＤＢ９として記憶させる。ザッピングリスト生成部７は、番組分析データ８と視聴習慣ＤＢ９から、自動ザッピングに用いるザッピングリスト１０を生成する。【選択図】図１
2013074531.tif 000002
【特許請求の範囲】
【請求項１】
所定のチャンネルの映像及び音声を含む放送データを取得し、出力するチューナーと、
自動ザッピングの際にモニタに出力すべき複数の番組及びその順序と、当該順序に応じてＣＭ時間を配分した、当該各番組の出力時間とを含むザッピング番組データを記憶する手段と、
前記モニタに出力中のチャンネルである元チャンネルでＣＭが開始した時に、前記自動ザッピングとして、前記ザッピング番組データに含まれている各番組を、前記順序に従って、前記出力時間だけ、前記チューナーから前記モニタに出力する手段と、
前記元チャンネルでＣＭが終了した時に、前記自動ザッピングを終了し、当該元チャンネルの番組を前記チューナーから前記モニタに出力する手段と、
を備えることを特徴とするテレビ受信機。
【請求項２】
請求項１に記載のテレビ受信機であって、
前記チューナーから各チャンネルの放送データを取得し、当該放送データを分析し、その分析した結果から放送中の番組の属性を特定し、各番組の属性を放送番組分析データとして記憶する手段と、
前記モニタに出力される放送データを分析し、その分析した結果から視聴される番組の属性を特定し、各番組の属性を視聴番組分析データとして記憶する手段と、
前記放送番組分析データ及び前記視聴番組分析データに基づいて、前記ザッピング番組データを生成する手段と、
をさらに備えることを特徴とするテレビ受信機。
【請求項３】
請求項２に記載のテレビ受信機であって、
前記モニタに出力される放送データを分析する際に、分析の対象となる期間を変更可能とする手段
をさらに備えることを特徴とするテレビ受信機。
【請求項４】
請求項１ないし請求項３のいずれか一項に記載のテレビ受信機であって、
所定のチャンネルの放送データを録画し、当該録画した放送データを再生する録画再生機器と、
前記元チャンネルでＣＭが終了した時に、前記元チャンネルの番組が前記モニタに出力されていなければ、当該番組を前記録画再生機器に録画する手段と、
前記元チャンネルが前記モニタに出力された時に、前記元チャンネルのＣＭが終了していれば、前記録画させた番組を前記録画再生機器から前記モニタに再生出力する手段と、
をさらに備えることを特徴とするテレビ受信機。
【発明の詳細な説明】
【技術分野】
【０００１】
本発明は、自動ザッピング機能を備えたテレビ受信機に関する。
【背景技術】
【０００２】
従来からのＢＳ・ＣＳ放送やＣＡＴＶ等に加え、アナログ波停止に伴うチャンネル周波数の再編（ＢＳのチャンネル数増加）やＩＰマルチキャスト放送等の新技術による多チャンネル環境が浸透することにより、視聴者が多数の番組から好みのものを選択し、視聴できる環境が整ってきた。また、テレビの高機能化やネットワーク対応によって、ＥＰＧ（Electronic Program Guide：電子番組表）が配信されることにより、わざわざ紙の番組表を確認しなくても、リアルタイムに見たい番組を検索できるようになった。
【０００３】
しかしながら、番組数が増加し、紙の番組表からＥＰＧへ切り替わると、限られた部分をスクロールしながら見ることになるので、全番組を俯瞰的に眺め、好みの番組を探すことが困難になる。そのため、テレビを視聴し始めたときには、必然的にザッピング（リモコンでチャンネルを頻繁に切り替えながら視聴する行為）が増えることになる。
【０００４】
チャンネル数が増加すると、ザッピングに費やす時間や労力が増える。そして、ザッピングをしても、見たい番組が結局見つからないことが多くなると、徒労感が高まる。そうなると、視聴者には、多チャンネルの利点よりも欠点が目に付くようになり、多チャンネルの視聴習慣がなくなる可能性がある。
【０００５】
また、多数のチャンネルのザッピングをした後、最初に見ていた番組に戻ると、既に内容が進展しているため、話についていけないという状態が起こりうる。これを避けるため、ザッピングをしなくなり、限定されたチャンネルしか視聴しないことから、多チャンネルの意義が感じられなくなるおそれがある。
【先行技術文献】
【特許文献】
【０００６】
【特許文献１】特開２００６−３１９８６９号公報
【特許文献２】特開２００４−５６６３０号公報
【発明の概要】
【発明が解決しようとする課題】
【０００７】
上記課題を解決するために、ザッピングをしていても所定時間（例えば、ＣＭが流れている時間）が経過すれば元のチャンネルに戻る方法（例えば、特許文献１のザッピング支援方法）や、記憶された操作履歴に基づいてチャンネルを切り換える方法（例えば、特許文献２の制御方法）が提案されている。
【０００８】
しかしながら、前者に関しては、数十チャンネル、今後の電波政策や技術の進展によってさらに増加する可能性のある多数のチャンネルを、ＣＭの間にザッピングし終わることは困難である。また、後者に関しては、操作履歴に拠ったとしても、時間帯による放送内容の変化や番組改編等には対応できないため、機械的に番組を順次送りする方法と基本的な差異はないと考えられる。
【０００９】
従って、上記の、ザッピングに対する方法は、いずれも数チャンネルしかない従前における課題を解決するものであり、数十チャンネルもある現状における課題の解決にはならない。
【００１０】
本発明は、上記課題を鑑みてなされたものであり、その主たる目的は、多チャンネルのザッピングを支援することにある。
【課題を解決するための手段】
【００１１】
上記課題を解決するために、本発明は、テレビ受信機であって、所定のチャンネルの映像及び音声を含む放送データを取得し、出力するチューナーと、自動ザッピングの際にモニタに出力すべき複数の番組及びその順序と、当該順序に応じてＣＭ時間を配分した、当該各番組の出力時間とを含むザッピング番組データを記憶する手段と、前記モニタに出力中のチャンネルである元チャンネルでＣＭが開始した時に、前記自動ザッピングとして、前記ザッピング番組データに含まれている各番組を、前記順序に従って、前記出力時間だけ、前記チューナーから前記モニタに出力する手段と、前記元チャンネルでＣＭが終了した時に、前記自動ザッピングを終了し、当該元チャンネルの番組を前記チューナーから前記モニタに出力する手段と、を備えることを特徴とする。
【００１２】
この構成によれば、ザッピング番組データに、視聴者の嗜好に合った番組を順に設定することにより、限られたＣＭ時間の自動ザッピングにおいて、好みの番組は長めに、必ずしも好みではない番組は短めにモニタ出力されるので、視聴者は、好みの番組を早く確実に探すことができる。そして、ＣＭが終了し、元の番組が再開するときに自動ザッピングを終了し、元のチャンネルに戻ることができる。これによれば、視聴者の操作の手間を軽減し、効率的かつ質の高いザッピングを行うことができる。
【００１３】
また、本発明の上記テレビ受信機において、前記チューナーから各チャンネルの放送データを取得し、当該放送データを分析し、その分析した結果から放送中の番組の属性を特定し、各番組の属性を放送番組分析データとして記憶する手段と、前記モニタに出力される放送データを分析し、その分析した結果から視聴される番組の属性を特定し、各番組の属性を視聴番組分析データとして記憶する手段と、前記放送番組分析データ及び前記視聴番組分析データに基づいて、前記ザッピング番組データを生成する手段と、をさらに備えることとしてもよい。
【００１４】
この構成によれば、現在放送中の番組の属性と、モニタに出力されている番組、すなわち、視聴されている番組の属性とを用いることにより、視聴者の嗜好、習慣やチャンネル操作に合った番組を自動ザッピングの対象とすることができる。なお、番組の属性のうち、種別（映画、ニュース等の区別）については、例えば、予め番組ごとに設定されているタグ情報等を使う。また、感情表現の特徴（興奮、悲哀等の区別）については、例えば、番組における音響や画像等を解析することにより、特定してもよい。
【００１５】
また、本発明の上記テレビ受信機において、前記モニタに出力される放送データを分析する際に、分析の対象となる期間を変更可能とする手段をさらに備えることとしてもよい。
【００１６】
この構成によれば、例えば、当該テレビ受信機において、長期間に亘って視聴されている番組のデータを蓄積し、分析することにより、視聴者のテレビ番組に関する嗜好や習慣を視聴番組分析データに反映できる。また、短時間におけるチャンネル操作を分析することにより、視聴者の直近の気分を視聴番組分析データに反映できる。これによれば、視聴されている番組の分析対象期間を変更することにより、視聴者のニーズに応じた様々な自動ザッピングを提供することができる。
【００１７】
また、本発明の上記テレビ受信機において、所定のチャンネルの放送データを録画し、当該録画した放送データを再生する録画再生機器と、前記元チャンネルでＣＭが終了した時に、前記元チャンネルの番組が前記モニタに出力されていなければ、当該番組を前記録画再生機器に録画する手段と、前記元チャンネルが前記モニタに出力された時に、前記元チャンネルのＣＭが終了していれば、前記録画させた番組を前記録画再生機器から前記モニタに再生出力する手段と、をさらに備えることとしてもよい。
【００１８】
この構成によれば、リモコン等の操作により、自動ザッピングの指定時間をＣＭ時間から任意の時間に延長したり、自動ザッピング中に出力された特定の番組をそのまま視聴したりすることができるので、実際の自動ザッピング時間がＣＭ時間を越えることがある。そこで、元のチャンネルでＣＭが終了し、番組が再開した時に、その番組が視聴されていなければ、再開した番組を録画し、さらに、元のチャンネルに戻った時に、既に番組が再開していれば、録画した番組を初めから再生出力することにより、元の番組を見損なわないように支援することができる。
【００１９】
その他、本願が開示する課題及びその解決方法は、発明を実施するための形態の欄、及び図面により明らかにされる。
【発明の効果】
【００２０】
本発明によれば、多チャンネルのザッピングを支援することができる。
【図面の簡単な説明】
【００２１】
【図１】テレビ受信機１の機能ブロック構成を示す図である。
【図２】出力制御部３の構成を示す図である。
【図３】出力制御部３の記憶部３５に記憶されるデータの構成を示す図であり、（ａ）は事前設定データ３５Ａの構成を示し、（ｂ）は制御データ３５Ｂの構成を示す。
【図４】テレビ受信機１の記憶装置に記憶されるデータの構成を示す図であり、（ａ）は番組分析データ８の構成を示し、（ｂ）は視聴習慣ＤＢ９の構成を示し、（ｃ）はザッピングリスト１０の構成を示す。
【図５】テレビ受信機１全体における自動ザッピングの動作イメージを示す図である。
【図６】テレビ受信機１の出力制御部３における自動ザッピング処理を示すフローチャートである。
【図７】テレビ受信機１の出力制御部３における追いかけ再生処理を示すフローチャートである。
【図８】放送データの解析処理を示す図である。
【図９】番組の種別及び特徴に関する合致度データの例を示す図であり、（ａ）は番組種別の合致度データを示し、（ｂ）は番組特徴の合致度データを示す。
【発明を実施するための形態】
【００２２】
以下、図面を参照しながら、本発明を実施するための形態を説明する。本発明の実施の形態に係るテレビ受信機は、現在放送中の番組のデータを取得し、そのデータを分析した結果と、所定の期間に視聴されている番組を分析した結果とに基づいて、自動ザッピングすべき番組及びその順序等を決め、現在視聴中のチャンネルでＣＭが始まったときに、自動ザッピングを開始するものである。特に、視聴者の好みは、必ずしも論理的ではなく、感覚的なものが大きいため、今までに視聴した番組の種別だけでなく、感情表現の特徴も含めて分析し、多角的に学習する。これによれば、多チャンネルであっても、視聴者に応じた有効なザッピングを提供することができる。
【００２３】
そして、自動ザッピングの後、元のチャンネルに戻った場合に、既にＣＭが終了し、番組が再開しているときには、記録装置に録画された元番組を追いかけ（タイムシフト）再生する。これによれば、視聴者が元々見ていた番組を見損なうことがないように支援することができる。
【００２４】
≪装置の構成と概要≫
図１は、テレビ受信機１の機能ブロック構成を示す図である。テレビ受信機１は、多チャンネルの放送データを受信し、リモコン１２で選択されたチャンネルの放送データ（映像及び音声）をモニタ１１に出力するとともに、放送データの録画及び再生の機能を有し、さらに、自動ザッピング機能を提供する。実際の装置としては、アンテナ、チューナーやレコーダ等により実現される。なお、図１におけるボックス間の矢印は、データの流れを示す。
【００２５】
テレビ受信機１は、受信部２、出力制御部３、記録部４、放送番組解析部５、視聴番組解析部６、ザッピングリスト生成部７、番組分析データ８、視聴習慣ＤＢ９及びザッピングリスト１０を備える。受信部２は、テレビ局から放送されるデータ信号を受信し、出力制御部３、記録部４及び放送番組解析部５に受け渡すものであり、受信アンテナやケーブル受信装置等により実現される。出力制御部３は、受信部２から受け渡されるデータ信号から、リモコン１２で選択されるチャンネルの放送データを抽出し、モニタ１１に出力し、一方、記録部４によって再生される録画データをモニタ１１に出力するとともに、ザッピングリスト１０に従って自動ザッピングを行う。その詳細な構成は、後記する。記録部４は、受信部２から受け渡されるデータ信号から、出力制御部３に指示されるチャンネルの放送データを抽出し、録画するとともに、録画した放送データを出力制御部３経由でモニタ１１に再生出力するものであり、チューナー及びレコーダにより実現される。
【００２６】
放送番組解析部５は、受信部２から受け渡されるデータ信号から、各チャンネルの放送データを抽出し、その時点で放送されている各番組の種別や特徴を分析し、その分析した結果を番組分析データ８として記憶させるものであり、チューナー及びＣＰＵ（Central Processing Unit）により実現される。視聴番組解析部６は、モニタ１１に出力される放送データを取り込んで、視聴者のテレビ番組に関する嗜好を分析し、その分析した結果を視聴習慣ＤＢ９として記憶させるものであり、ＣＰＵにより実現される。ザッピングリスト生成部７は、番組分析データ８及び視聴習慣ＤＢ９に基づいて、自動ザッピングに用いるザッピングリスト１０を生成するものであり、ＣＰＵにより実現される。
【００２７】
番組分析データ８、視聴習慣ＤＢ９及びザッピングリスト１０は、ＨＤＤ（Hard Disk Drive）やＳＳＤ（Solid State Drive）等の不揮発性記憶装置に記憶されるデータである。その詳細なデータ構成は、後記する。
【００２８】
モニタ１１は、テレビ受信機１の出力制御部３から受け付けた放送データに含まれる映像及び音声を視聴者に向けて出力するものであり、液晶ディスプレイ（ＬＣＤ：Liquid Crystal Display）やスピーカ等によって実現される。リモコン１２は、視聴者がボタン等を操作することにより、モニタ１１で視聴するチャンネルの選択、自動ザッピングに関する事前設定や指示等を、テレビ受信機１の出力制御部３に対して行うための遠隔操作機器である。
【００２９】
図２は、出力制御部３の構成を示す図である。出力制御部３は、チューナー３１、インタフェース３２、操作部３３、処理部３４及び記憶部３５を備え、各部がバス３６を介してデータを送受信可能なように構成される。チューナー３１は、受信部２から放送データを受けて、処理部３４の指示により、選択されたチャンネルの放送データを抽出し、その放送データをインタフェース３２経由でモニタ１１に出力する。インタフェース３２は、記録部４、モニタ１１及びリモコン１２との間で指示メッセージや放送データを送受信する部分であり、例えば、ビデオ信号や無線信号の送受信制御モジュールによって実現される。
【００３０】
操作部３３は、視聴者がテレビ受信機１を直接操作する部分であり、例えば、主電源の入切ボタン等によって実現される。処理部３４は、所定のメモリを介して各部間のデータの受け渡しを行うととともに、出力制御部３全体の制御を行うものであり、ＣＰＵが所定のメモリに格納されたプログラムを実行することによって実現される。記憶部３５は、処理部３４からデータを記憶したり、記憶したデータを読み出したりするものであり、例えば、ＨＤＤやＳＳＤ等の不揮発性記憶装置によって実現される。
【００３１】
≪データの構成≫
図３は、出力制御部３の記憶部３５に記憶されるデータの構成を示す図である。図３（ａ）は、事前設定データ３５Ａの構成を示す。事前設定データ３５Ａは、視聴者によるリモコン１２の操作で事前に設定される、自動ザッピングに関するパラメータであり、ザッピング実行時間３５Ａ１、番組切換モード３５Ａ２、時間切れ告知指定３５Ａ３、追いかけ再生モード３５Ａ４及びザッピング監視時間３５Ａ５を含む。なお、事前設定データ３５Ａは、事前設定に限らず、途中で個別に変更されてもよい。
【００３２】
ザッピング実行時間３５Ａ１は、自動ザッピングが行われる時間であり、換言すれば、自動ザッピングが開始してから元のチャンネルに戻るまでの時間であり、例えば、「ＣＭ中のみ」、「指定時間」及び「無制限」が設定可能である。「ＣＭ中のみ」は、元のチャンネルでＣＭが流れている間だけザッピングを行うものであり、ＣＭが終わって元の番組が始まる時に強制的に元のチャンネルに戻るために設定される。「指定時間」は、視聴者が自分の都合でザッピング時間を指定するものであり、ザッピング開始から指定時間が経過すると強制的に元のチャンネルに戻るために設定される。「無制限」は、視聴者が時間を気にせずザッピングを行うものであり、自動ではなく、リモコン１２の操作で元のチャンネルに戻るためにあり、例えば、全チャンネルの番組をチェックしたい場合に、設定される。
【００３３】
番組切換モード３５Ａ２は、自動ザッピング中の番組切換を自動に任せるか、手動で行うかを指定するものである。自動の場合、ザッピングリスト１０の表示時間１０８に従って各番組が表示され、切り換わる。手動の場合、視聴者がリモコン１２の操作で番組を切り換える。いずれにしても、番組の表示順序は、ザッピングリスト１０の順位１０１に従う。
【００３４】
時間切れ告知指定３５Ａ３は、自動ザッピング中に元のチャンネルでＣＭが終了し、番組が再開する時に、その旨をモニタ１１に表示するか否かを指定するものであり、ザッピング実行時間３５Ａ１を「指定時間」（ＣＭより長い時間）又は「無制限」に指定した際に有効である。なお、ＣＭの時間が予め分かっている場合には、ＣＭ終了（番組再開）の何秒前に告知するかを指定可能である。
【００３５】
追いかけ再生モード３５Ａ４は、自動ザッピングが終了して元のチャンネルに戻った場合に、既にＣＭが終わり、番組が始まっているときに、追いかけ再生を行うが、その際の動作モードを指定するものである。例えば、ＣＭ終了から３０秒後に元のチャンネルに戻った場合の対応として、「番組終了まで３０秒遅れで再生する」又は「高速再生（２倍速）し、数分後に放送波に同期する」のいずれかを選択可能とする。なお、ＣＭ終了に間に合ったときには、追いかけ再生を行わず、そのまま番組を視聴することができる。
【００３６】
ザッピング監視時間３５Ａ５は、自動ザッピングの開始から終了までの時間を監視するための時間値であり、この時間を過ぎると、視聴者は元のチャンネルに戻る意思がないと判断され、追いかけ再生のために元の番組を録画したデータが消去される。視聴者の事前設定によらず、一般的な統計に基づいて、例えば、１５秒等の時間値が設定されてもよい。
【００３７】
図３（ｂ）は、制御データ３５Ｂの構成を示す。制御データ３５Ｂは、自動ザッピングの際に用いられる一時的な制御用データであり、元チャンネル番号３５Ｂ１及び変数ｎ３５Ｂ２を含む。元チャンネル番号３５Ｂ１は、自動ザッピングの前に視聴されていた番組のチャンネル番号であり、自動ザッピングから元の番組に戻る時に参照される。変数ｎ３５Ｂ２は、自動ザッピングの際に、ザッピングリスト１０に含まれる番組レコードを順次参照するために用いられるカウンタである。
【００３８】
図４は、テレビ受信機１の記憶装置に記憶されるデータの構成を示す図である。図４（ａ）は、番組分析データ８の構成を示す。番組分析データ８は、リアルタイムに放送されている全番組の種別や特徴を定期的に解析した結果であり、番組名８１、種別８２、主特徴８３、副特徴８４及び放送時間８５を含む、番組ごとのレコードからなる。
【００３９】
番組名８１は、番組の名称である。種別８２は、番組を分類した種別であり、例えば、ドラマ、エンタメ（エンターテインメント）、映画等のいずれかが設定される。主特徴８３は、感情的又は情緒的な観点から見た、番組のメインの特徴である。副特徴８４は、感情的又は情緒的な観点から見た、番組のサブの特徴である。主特徴８３及び副特徴８４は、例えば、悲哀、愉快、躍動等のキーワード（１６分類程度）が設定される。なお、２つの特徴だけなく、３番目以降の特徴を付加してもよいし、番組によって特徴の個数が異なってもよい。放送時間８５は、番組が放送される時間帯である。
【００４０】
なお、主特徴８３や副特徴８４には、例えば、番組の種別８２が「お笑い」であった場合に、同じお笑いでも、ナンセンス、シニカル、インテリ等、視聴者個人の感情的な好みはいろいろあるので、そのような部分を補完する意義がある。
【００４１】
図４（ｂ）は、視聴習慣ＤＢ９の構成を示す。視聴習慣ＤＢ９は、テレビ受信機１のモニタ１１に出力される番組の特徴を随時分析した結果を蓄積したものであり、換言すれば、視聴者が普段見たり、ザッピングしたりしている番組に基づく視聴習慣や嗜好に関するデータであり、視聴番組履歴９１、チャンネル操作履歴９２、視聴者嗜好９３及び嗜好統計９４を含む。
【００４２】
視聴番組履歴９１は、今までに視聴してきた番組の履歴をとったものであり、番組名、種別、特徴及び視聴時間の合計等が含まれる。チャンネル操作履歴９２は、直近の短期間（例えば、長くても１日）におけるチャンネルの切換状況の履歴をとったものであり、ザッピング中と想定される操作の最中であっても、滞留時間の比較的長い番組名、種別及び特徴等が含まれる。視聴者嗜好９３は、視聴者が明示する基本的な好みであり、例えば、好きな番組の種別及び特徴等が含まれる。嗜好統計９４は、視聴番組履歴９１、チャンネル操作履歴９２及び視聴者嗜好９３を統計分析した結果であり、例えば、視聴者が長時間見ている番組を解析して、好みの種別や特徴を順位付けたデータが蓄積され、更新される。
【００４３】
なお、嗜好統計９４を更新する際に、長期間の視聴番組履歴９１や視聴者嗜好９３を重視するのか、短時間のチャンネル操作履歴９２に注目するのかは、それらのいずれかを選択可能とし、又は、それらの重み付けを調整可能とする。実際には、リモコン１２により設定可能とする。
【００４４】
図４（ｃ）は、ザッピングリスト１０の構成を示す。ザッピングリスト１０は、自動ザッピングの際にモニタ１１に表示すべき番組の順序及び時間を示すものであり、順位１０１、合致度１０２、番組名１０３、種別１０４、主特徴１０５、副特徴１０６、放送時間１０７、表示時間１０８及び滞留時間１０９を含む、番組ごとのレコードからなる。
【００４５】
順位１０１は、合致度１０２の高い番組の順序を示すものであり、換言すれば、自動ザッピングで表示される番組の順序を示す。なお、ザッピングリスト１０に設定される番組は、所定の順位１０１（例えば、５番目）までとしてもよい。合致度１０２は、番組分析データ８の各番組のレコードと、視聴習慣ＤＢ９の嗜好統計９４とを用いて計算した、各番組の属性（種別及び特徴）と、視聴者の好みとが合致する度合を示すものである。なお、ザッピングリスト１０に設定される番組は、合致度１０２が所定値（例えば、５０％）以上としてもよい。
【００４６】
番組名１０３は、自動ザッピングで表示される番組の名称である。種別１０４は、番組の種別である。主特徴１０５は、番組のメインの感情的特徴である。副特徴１０６は、番組のサブ的な感情的特徴である。放送時間１０７は、番組が放送される時間帯である。表示時間１０８は、事前設定データ３５Ａの番組切換モード３５Ａ２が自動に設定されている際に有効であり、自動ザッピングで各番組を表示する時間が設定される。例えば、事前設定データ３５Ａのザッピング実行時間３５Ａ１（ＣＭ時間又は指定時間）をザッピングリスト１０中の番組数（レコード数）で除算して、１番組あたりの表示時間を算出し、さらに、順位１０１に応じて各番組の表示時間を加減する。このとき、順位１０１が高いほど、表示時間１０８を長く設定する。滞留時間１０９は、手動のザッピングで各番組が表示された時間が設定され、ザッピングリスト１０中の順位１０１の変更に用いられる。
【００４７】
なお、各番組の順位１０１の判断においては、まず、種別１０４、主特徴１０５及び副特徴１０６により順位付けを行い、次に、滞留時間１０９により調整する。
【００４８】
≪装置の処理≫
図５は、テレビ受信機１全体における自動ザッピングの動作イメージを示す図である。まず、視聴番組解析部６が、モニタ１１に出力中、すなわち、現在視聴中の放送データから定期的（頻度は任意）にシーンを抽出し、分析する（Ｓ５０１）。一方、放送番組解析部５が、裏番組を同様に分析する（Ｓ５０２）。そして、視聴中のチャンネルでＣＭが開始した時に、出力制御部３が、分析結果に基づく自動ザッピングを開始するとともに、元番組の録画を開始する（Ｓ５０３）。自動ザッピングがＣＭ時間より延長されて、元のチャンネルに戻った場合に、追いかけ再生を行う（Ｓ５０４）。なお、別の番組が視聴されている場合には、元番組の録画データを消去する（Ｓ５０５）。
【００４９】
視聴中の番組が再開すると、視聴番組解析部６が、再び、現在視聴中の放送データから定期的にシーンを抽出し、分析する（Ｓ５０６）。そして、再び、視聴中のチャンネルでＣＭが開始した時に、出力制御部３が、１回目の分析結果や操作・選択結果も加味した自動ザッピングを開始するとともに、元番組の録画を開始する（Ｓ５０７）。自動ザッピングがＣＭ時間より延長されて、元のチャンネルに戻った場合に、追いかけ再生を行う（Ｓ５０８）。なお、別の番組が視聴されている場合には、元番組の録画データを消去する（Ｓ５０９）。
【００５０】
さらに、視聴中の番組が再開すると、視聴番組解析部６が、三度、現在視聴中の放送データから定期的にシーンを抽出し、分析する（Ｓ５１０）。一方、放送番組解析部５は、終了した番組の分析結果を削除し、次の番組の分析を開始する（Ｓ５１１）。
【００５１】
なお、ＣＭの時間長は、５分以内の番組で１分、１０分以内の番組で２分、１５分以内の番組で２分３０秒、それ以降５分ごとに３０秒ずつ増え、３０分以上の番組では番組放送時間の１０％以内、さらに全放送時間の１８％を越えてはならないとされている。そのため、例えば、１時間番組であってもＣＭ時間が最大６分程度であり、追いかけ再生すべき番組に関しても同等の時間長だけ録画できればよいと考えられるので、記録部４を実現する録画機器を安価に収めることができる。
【００５２】
図６は、テレビ受信機１の出力制御部３における自動ザッピング処理を示すフローチャートである。本処理は、視聴中のチャンネルで番組が中断し、ＣＭが開始したことを検出した時、又は、リモコン１２により指示を受けた時に起動され、出力制御部３において、主として処理部３４が、ザッピングリスト１０を参照し、記憶部３５のデータを参照、更新しながら、自動ザッピングを行うものである。
【００５３】
まず、出力制御部３は、その時点におけるチャンネル番号をチューナー３１から取得し、元チャンネル番号３５Ｂ１として記憶部３５に記憶する（Ｓ６０１）。次に、テレビ受信機１の記憶装置からその時点におけるザッピングリスト１０を取得する（Ｓ６０２）。そして、変数ｎに１を代入する（Ｓ６０３）。さらに、ザッピングリスト１０を参照して、ｎ（＝１）番目の番組名１０３に切り換える（Ｓ６０４）。詳細には、電子番組表により番組名をチャンネル番号に変換し、チューナー３１に対して、当該チャンネル番号に切り換えて、その放送データをモニタ１１に出力するように指示する。
【００５４】
続いて、出力制御部３は、自動ザッピング処理が起動されてからザッピング実行時間３５Ａ１が経過した否かを判定する（Ｓ６０５）。既に経過していれば（Ｓ６０５のＹ）、自動ザッピングを終了して、元チャンネル番号３５Ｂ１のチャンネルに戻す（Ｓ６１１）。詳細には、チューナー３１に対して、元のチャンネルに切り換えて、その放送データをモニタ１１に出力するように指示する。
【００５５】
一方、未だザッピング実行時間３５Ａ１が経過していなければ（Ｓ６０５のＮ）、出力制御部３は、番組切換モード３５Ａ２に応じた判定により、モニタ１１に表示する番組を切り換えるか否かを決める。すなわち、番組切換モード３５Ａ２が自動であれば（Ｓ６０６のＹ）、ザッピングリスト１０を参照して、ｎ番目の番組に切り換えてから表示時間１０８が経過したか否かを判定する（Ｓ６０７）。一方、番組切換モード３５Ａ２が自動でなければ（Ｓ６０６のＮ）、番組切換は手動で行うという指定なので、リモコン１２から切換指示があったか否かを判定する（Ｓ６０８）。
【００５６】
出力制御部３は、表示時間が経過していない場合（Ｓ６０７のＮ）又は切換操作がない場合（Ｓ６０８のＮ）に、番組の表示をそのままにして、Ｓ６０５の判定に戻る。逆に、表示時間が経過している場合（Ｓ６０７のＹ）又は切換操作があった場合（Ｓ６０８のＹ）には、変数ｎに１を加算し（Ｓ６０９）、変数ｎがザッピングリスト１０の番組数（レコード数）以下か否かを判定する（Ｓ６１０）。変数ｎが番組数以下であれば（Ｓ６１０のＹ）、表示すべき番組が残っているということなので、Ｓ６０４の番組切換に戻る。変数ｎが番組数より大きければ（Ｓ６１０のＮ）、ザッピングリスト１０の番組はすべて表示したということなので、自動ザッピングを終了し、元のチャンネルに戻す（Ｓ６１１）。
【００５７】
図７は、テレビ受信機１の出力制御部３における追いかけ再生処理を示すフローチャートである。本処理は、視聴中のチャンネルでＣＭが終了し、番組が再開したことを検出し、かつ、自動ザッピングから元のチャンネルに戻っていない時に起動され、出力制御部３において、主として処理部３４が、記憶部３５のデータを参照しながら、自動ザッピングの終了を監視し、追いかけ再生に関する処理を行うものである。
【００５８】
まず、出力制御部３は、時間切れ告知指定３５Ａ３が「表示する」に設定されていれば（Ｓ７０１のＹ）、「ＣＭ終了、番組再開」のメッセージを、モニタ１１の画面の一部に表示する（Ｓ７０２）。一方、「表示しない」に設定されていれば（Ｓ７０１のＮ）、Ｓ７０２の処理をスキップする。そして、元の番組を録画する（Ｓ７０３）。詳細には、記録部４に対して、元のチャンネルの放送データをレコーダに記録するように指示する。なお、ＣＭが終了した時点ではなく、ＣＭが始まって、自動ザッピングを開始した時点から、元のチャンネルのＣＭ及び番組を録画しておいてもよい。
【００５９】
次に、出力制御部３は、自動ザッピングが終了した否か、すなわち、チューナー３１が元チャンネル番号３５Ｂ１に戻ったか否かを確認する（Ｓ７０４）。元のチャンネルに戻っていれば（Ｓ７０４のＹ）、追いかけ再生を行う（Ｓ７０５）。詳細には、記録部５に対して、Ｓ７０３の時点から録画している元の放送データを再生して、モニタ１１に出力するように指示する。
【００６０】
一方、元のチャンネルに戻っていなければ（Ｓ７０４のＮ）、出力制御部３は、自動ザッピングが開始してからザッピング監視時間３５Ａ５が経過したか否かを判定する（Ｓ７０６）。既に経過していれば（Ｓ７０６のＹ）、視聴者には元のチャンネルに戻る気がないと判断し、録画データを消去する（Ｓ７０７）。詳細には、記録部５に対して、Ｓ７０３の時点から録画している元の放送データを消去するように指示する。未だ経過していなければ（Ｓ７０６のＮ）、Ｓ７０４の判定を行う。
【００６１】
図８は、放送データの解析処理を示す図である。放送番組解析部５及び視聴番組解析部６は、放送データを取得し、その放送データの内容を分析し、番組の種別や特徴を抽出する。以下に、その詳細を説明する。
【００６２】
まず、放送データは、テキストデータ、音響データ及び映像データから構成される。テキストデータは、番組表、メタデータ、キーワード、タグ情報、あらすじ、出演者等を含むので、それらに対してテキスト解析を行う。音響データは、音声、ＢＧＭ等の周波数波形等を含むので、それらに対して音声信号解析を行う。例えば、音声信号の周波数帯域や波形等から好みの音響傾向を分析する。映像データは、被写体、動静、色調、明度等を含むので、それらに対して画像解析を行う。例えば、シーン解析やモーション解析により、コンテンツの内容や画面のにぎやかさ、喜怒哀楽等から好みの感情傾向を分析する。また、トーンカーブ解析により、色調や彩度等から好みの色彩傾向を分析する。なお、テレビ受信機１に固有に備わる、視聴者の好みを学習する機能を取り込んでもよい。
【００６３】
次に、テキスト解析、音声信号解析及び画像解析の結果に所定の加重を行ったデータを分析し、番組の種別、動静性、感情性を抽出する。種別は、ドラマ、映画、スポーツ、音楽、報道等に分類され、テキスト解析の結果から抽出される。動静性は、にぎやか、静か、展開が早い等に分類される。感情性は、喜怒哀楽、癒し、情緒、怖い、興奮等に分類される。
【００６４】
さらに、動静性や感情性が、番組分析データ８の主特徴８３や副特徴８４に変換される。なお、動静性や感情性等の分析結果と、感情表現の特徴とを対応付けて、予めデータベース化しておくものとする。
【００６５】
ザッピングリスト生成部７は、放送番組解析部５が出力した番組分析データ８と、視聴番組解析部６が出力した視聴習慣ＤＢ９とに基づいて、ザッピングリスト１０を生成する。詳細には、番組分析データ８の各レコードと、視聴習慣ＤＢ９の嗜好統計９４とから、各番組の、視聴者の嗜好に対する合致度を計算し、その合致度が高い上位の番組を、生成するザッピングリスト１０のレコードとして追加する。
【００６６】
嗜好統計９４は、番組の種別及び特徴に関して好みの順位付けをしているので、例えば、１００％のうち、５０％を種別に割り当て、５０％を特徴に割り当てる。種別及び特徴は、限られた項目しかないので、種別同士及び特徴同士の合致度を予め決めておく。
【００６７】
図９は、番組の種別及び特徴に関する合致度データの例を示す図である。同じ項目同士の合致度は、５０％である。図９（ａ）に示すように、例えば、番組種別の場合、映画と、ドラマとの合致度は４０％とし、映画及びドラマと、ニュースとの合致度は５％とする。図９（ｂ）に示すように、例えば、番組特徴の場合、躍動と、興奮との合致度は４０％とし、躍動及び興奮と、悲哀との合致度は１０％とする。
【００６８】
そこで、番組の種別と、好みの種別１位との合致度を特定し、番組の特徴と、好みの特徴１位との合致度を特定するとともに、特定し２つの合致度を合計したものを、当該番組の嗜好に対する合致度とする。例えば、番組が映画・躍動であり、視聴者の好み１位が映画・興奮であれば、合致度は、５０％＋４０％＝９０％となる。
【００６９】
≪応用的機能の実施例≫
以下、上記の基本的な機能に加えて、応用的な機能について説明する。  
まず、視聴者が自動ザッピング中にリモコン１２を操作することにより、戻り、順送り、逆送り、解除、延長の各機能を実行可能とする。「戻り」は、自動ザッピングを中止して、元のチャンネルに戻す機能である。「順送り」は、ザッピングリスト１０上、その時点で出力されている番組の次の番組を出力する機能である。「逆送り」は、ザッピングリスト１０上、その時点で出力されている番組の前の番組を出力する機能である。「解除」は、自動ザッピングを中止して、通常のリモコン１２の操作によるチャンネル選択を可能にする機能である。「延長」は、ザッピング実行時間３５Ａ１（ＣＭ時間又は指定時間）が経過した時に、自動ザッピングの時間を延長する機能である。
【００７０】
次に、チャンネルの滞留時間を利用して、視聴者が手動操作によるザッピングを行い、その時々の気分を反映させることが可能である。視聴者が手動でザッピングを行うと、各チャンネルの滞留時間１０９（すなわち、各番組の視聴時間）をザッピングリスト１０に追加する。詳細には、視聴者は、まず、今後の手動ザッピング（チャンネル操作）を自動ザッピングに反映させる指示の操作（専用ボタン、チャンネルボタン長押し、５秒以内に２チャンネル遷移したら開始と見なす等）を行い、次に、その時の気分や好みに従って任意にチャンネルを切り換える。
【００７１】
一方、テレビ受信機１は、上記指示の操作を受け付けてから５チャンネル程度遷移した時点で、リアルタイムの操作ログに基づいて、一時的な好みを判断する。例えば、ザッピングリスト１０において、滞留時間１０９が長い番組や、そのような番組の種別及び特徴に対する合致度が高い番組を上位に繰り上げする。逆に、手動ザッピングの間に未視聴であった（順送りやスキップされた）番組や、そのような番組に合致度が高い番組は、下位に繰り下げる。このように、ザッピングリスト１０の順位１０１を入れ換えた後、自動ザッピングを行う。これにより、視聴者の一時的な好みを自動ザッピングに反映させることができる。なお、同じ効果を得るために、視聴番組解析部６が、手動操作でザッピングしている最中の、チャンネル操作履歴９２だけに基づいて嗜好統計９４を生成し、ザッピングリスト生成部７が、その嗜好統計９４をザッピングリスト１０に反映させることも考えられる。
【００７２】
例えば、ある視聴者のテレビ受信機１では、ザッピングリスト１０において、従来の視聴傾向から種別１０４がドラマである番組が上位にあったとしても、いつもドラマを見たいわけではなく、手動ザッピングでドラマをスキップしている場合には、その番組以降にあって、滞留時間１０９が長い、他の番組を上位に繰り上げる。
【００７３】
さらに、テレビ受信機１の視聴習慣ＤＢ９には、視聴者の視聴する番組の傾向や操作ログが蓄積されているので、それらのデータを所定地域ごとのデータセンタで収集する。これによれば、視聴率分析や顧客属性分析に利用することができる。例えば、収集した各視聴者のデータを比較、分析することにより、視聴者層ごとの視聴動向把握やマーケティングに活用することができる。
【００７４】
なお、上記実施の形態では、図１に示すテレビ受信機１内の各部を機能させるために、ＣＰＵで実行されるプログラムをコンピュータにより読み取り可能な記録媒体に記録し、その記録したプログラムをコンピュータに読み込ませ、実行させることにより、本発明の実施の形態に係るテレビ受信機１が実現されるものとする。この場合、プログラムをインターネット等のネットワーク経由でコンピュータに提供してもよいし、プログラムが書き込まれた半導体チップ等をコンピュータに組み込んでもよい。
【００７５】
以上説明した本発明の実施の形態によれば、テレビ放送が多チャンネルに亘っていても、有意義で効率的なザッピングを支援することができる。
【００７６】
詳細には、図８に示すように、放送番組解析部５及び視聴番組解析部６が、現在放送中の番組や従来視聴されている番組を分析する際に、テキストデータだけでなく、音響データや映像データも含めて、分析の対象とするので、有意義な番組分析データ８及び視聴習慣ＤＢ９を生成することができる。また、視聴番組の分析対象期間を変更することにより、長期間の視聴習慣や直近のチャンネル操作等に応じて、視聴者のニーズに合った嗜好統計９４を生成することができる。
【００７７】
次に、図９に示す合致度データを用いて、番組分析データ８及び視聴習慣ＤＢ９から、視聴者の嗜好、習慣や直近のチャンネル操作に合った、リアルタイムの番組を抽出することにより、きめ細かく、質の高いザッピングリスト１０を生成することができる。
【００７８】
そして、図６に示すように、ザッピングリスト１０に従って、自動ザッピングを実行することにより、ザッピング実行時間３５Ａ１という限られた時間内で、精選された番組をモニタ１１に出力するので、視聴者は、自分の嗜好や習慣に合う番組を速やかに見つけることができる。また、リモコン１２を用いることにより、手動ザッピングの操作履歴を自動ザッピングに反映できるので、直近の気分や思い付きに合う番組を探すことができる。
【００７９】
さらに、図７に示すように、追いかけ再生が可能なので、元のチャンネルに戻りたいと思いながらも、自動ザッピングでお気に入りの番組を見つけたときに、その番組を十分に確認することができ、その後に元の番組も視聴することができる。
【００８０】
以上によれば、多チャンネルのテレビ放送であっても、効率的なザッピングが可能になるので、視聴者が多チャンネルの放送サービスに加入するのを促進するとともに、当該放送サービスを解約するのを防止することができる。次に、それにより営業収入の増大を図ることができる。そして、視聴者からの収集データを活用し、効果的な事業展開を推進することができる。
【００８１】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００８２】
１      テレビ受信機
３      出力制御部（チューナー）
４      記録部（チューナー、録画再生機器）
５      放送番組解析部
６      視聴番組解析部
７      ザッピングリスト生成部
８      番組分析データ（放送番組分析データ）
９      視聴習慣ＤＢ（視聴番組分析データ）
１０    ザッピングリスト（ザッピング番組データ）
１１    モニタ
【図１】
2013074531.tif 000003
【図２】
2013074531.tif 000004
【図３】
2013074531.tif 000005
【図４】
2013074531.tif 000006
【図５】
2013074531.tif 000007
【図６】
2013074531.tif 000008
【図７】
2013074531.tif 000009
【図８】
2013074531.tif 000010
【図９】
2013074531.tif 000011